(57)【要約】【課題】個々人が持参して差す傘であって、必要があれば合体して二人で使用できるコンパクトな傘を提供する。【解決手段】手で握る柄２が一端部に取り付けられた柄付シャフト３の他端側位置に半径方向に開閉可能にされた複数本の傘骨５１〜５８と、傘骨５１〜５８間に張られた傘布４とからなる傘１において、合体時に互いに面で接する合体面部２０には、合体時に互いに嵌合する雌部２１と雄部２２とが離間して設けられ、柄付シャフト３は、合体面部２０に対して反る側に所定角度で曲げられ、合体時、曲げられた柄付シャフト３の軸Ｓを含む面内に位置する傘骨５１は、その両隣の傘骨５２，５８の先端が相手の先端と接触した状態で、相手と重なる部分だけ短く形成され、傘骨５１の短くなった先端と両隣の傘骨５２，５８の先端とを結ぶ位置での傘布４に形成された切欠部分６の傘布４端面には、合体時に傘布４同士を継ぐ継ぎ部材７１，７２が形成される。【選択図】図１
2018187279.tif 000002
【特許請求の範囲】
【請求項１】
合体して使用されることもある一本の傘であって、
手で握る柄が一端部に取り付けられた柄付シャフトと、前記柄付シャフトの他端側位置に半径方向に開閉可能にされた複数本の傘骨と、前記複数本の傘骨間に張られた傘布とからなる傘において、
前記柄は、合体時に互いに面で接する合体面部を有し、
前記合体面部には、合体時に互いに嵌合する雌部と雄部とが離間して設けられ、
前記柄付シャフトは、前記合体面部に対して反る側に所定角度で曲げられ、合体時、曲げられた前記柄付シャフトの軸を含む面内に位置する前記傘骨は、その両隣の前記傘骨の先端が相手の先端と接触した状態で、相手と重なる部分だけ短く形成され、
前記傘骨の短くなった先端と両隣の前記傘骨の先端とを結ぶ位置での前記傘布には、切欠部分が形成され、
前記切欠部分の前記傘布端面には、合体時に前記傘布同士を継ぐ継ぎ部材が形成されていることを特徴とする傘。
【請求項２】
請求項１に記載の傘において、
前記継ぎ部材には、接合手段が設けられていることを特徴とする傘。
【請求項３】
請求項２に記載の傘において、
前記接合手段は、面ファスナー、丸留め、粘着テープ、ホックのうちいずれか一つであることを特徴とする傘。
【発明の詳細な説明】
【技術分野】
【０００１】
本発明は、一本でありながら、他の一本と合体させて使用させることもできる傘に関する。
【背景技術】
【０００２】
従来の傘にあっては、一人での使用は濡れずにすむが、他人を入れてあげるには狭すぎ、また、それぞれ傘を差した人は互いに距離があった。
【０００３】
したがって、二人で使用したり、寄り添って使用したりするには、大型の傘が必要であった。
【０００４】
このような課題を解決するための方策として、一対の傘間に伸縮自在なジャバラ状の屋根部材が設けられていた、複数人用傘が提案されている（特許文献１参照）。
【先行技術文献】
【特許文献】
【０００５】
【特許文献１】特開2009−50673号公報
【発明の概要】
【発明が解決しようとする課題】
【０００６】
しかし、上述した複数人用傘は、構造が複雑であり、収納時にコンパクトに納めることができず、使用方法も複雑で面倒であった。
【０００７】
本発明は、上記の事情に鑑みて為されたもので、個々人が持参して差す傘であって、必要があれば合体して二人で使用できるコンパクトな傘を提供することを目的とする。
【課題を解決するための手段】
【０００８】
上記した目的を達成するために、本発明に係る傘は、合体して使用されることもある一本の傘であって、手で握る柄が一端部に取り付けられた柄付シャフトと、柄付シャフトの他端側位置に半径方向に開閉可能にされた複数本の傘骨と、複数本の傘骨間に張られた傘布とからなる傘において、柄は、合体時に互いに面で接する合体面部を有し、合体面部には、合体時に互いに嵌合する雌部と雄部とが離間して設けられ、柄付シャフトは、合体面部に対して反る側に所定角度で曲げられ、合体時、曲げられた柄付シャフトの軸を含む面内に位置する傘骨は、その両隣の傘骨の先端が相手の先端と接触した状態で、相手と重なる部分だけ短く形成され、傘骨の短くなった先端と両隣の傘骨の先端とを結ぶ位置での傘布には、切欠部分が形成され、切欠部分の傘布端面には、合体時に傘布同士を継ぐ継ぎ部材が形成されている。
【発明の効果】
【０００９】
このように構成された本発明に係る傘は、閉じて柄を握ったとき、柄付シャフトは地面側に曲げられており、他人や他の物への干渉の恐れが少ない。また、差したときには、手首を立てることなく自然に握ることができ、切欠部分から前方視野を確保できる。さらに、個々の傘として使用できることは勿論、二つの傘を合体させたとき寄り沿うようにして使用できる。しかも、構造を複雑化させずに、コンパクトなものにすることができる。
【図面の簡単な説明】
【００１０】
【図１】実施例に係る傘の使用状態を示す斜視図である。
【図２】実施例に係る各傘の合体前の状態を示す斜視図である。
【図３】実施例に係る各傘の合体後の状態を示す斜視図である。
【発明を実施するための形態】
【００１１】
以下、この発明に係る傘の実施の形態である実施例を図面に基づいて説明する。
【００１２】
（傘の概略構造の説明）
図１に示す、本実施例に係る傘１は、合体して使用されることもある一本の傘である。
【００１３】
傘１は、手で握る柄２が一端部に取り付けられた柄付シャフト３と、柄付シャフト３の他端側位置に図外のロクロを介して半径方向に開閉可能にされた複数本（本実施例では８本）の傘骨５１〜５８と、複数本の傘骨５１〜５８間に張られた傘布４とからなる。
【００１４】
柄２は、合体時に互いに面で接する合体面部２０を有している。
【００１５】
この合体面部２０には、合体時に水平かつ柄付シャフト３の中心軸から等距離離間した位置で互いに嵌合する雌部２１と雄部２２とがそれぞれ形成されている。
【００１６】
柄付シャフト３は、この実施例では柄２の位置であるが、軸Ｓ部であってもよく、合体面部２０に対して反る側に所定角度で曲げられている。ここで、所定角度とは、二本の傘１が合体したとき、後述する傘骨５１，５２，５８の先端５１Ｔ，５２Ｔ，５８Ｔが互いに接することができる角度である。
【００１７】
なお、柄２の合体面部２０の反対側は、単独のとき、合体したときに握り易い形状であることが望ましい。
【００１８】
そこでは、合体時、曲げられた柄付シャフト３の軸Ｓを含む面内に位置する傘骨５１は短く形成されている。そして、その両隣の傘骨５２，５８の先端５２Ｔ，５８Ｔ同士が接触した際、その間となる傘骨５１が重なる部分だけ短く形成されている。
【００１９】
傘布４は、木綿等の天然繊維やナイロン、ポリエステル等の化学繊維等が用いられ、表面には必要に応じて耐水性を付与するための防水加工が施されている。傘骨５１の短くなった先端５１Ｔと両隣の傘骨５２，５８の先端５２Ｔ，５８Ｔとを結ぶ位置で傘布４には、切欠部分６が形成されている。
【００２０】
勿論、傘布４の表面には雨や雪等をはじく撥水加工を施してもよいし、日傘としてＵＶ（Ultraviolet）カット機能を持たせてもよい。
【００２１】
切欠部分６の傘布端面には、合体時に傘布４同士を継ぐ継ぎ部材７１，７２が形成されている。
【００２２】
継ぎ部材７１，７２は、先端５１Ｔと先端５２Ｔとを結ぶまでの切欠部分６の傘布４端面において延設してあるいは別体で構成されている。
【００２３】
傘１は、さらに、継ぎ部材７１，７２には、それぞれ、接合手段８１が設けられている。合体時において、一の傘１の継ぎ部材７１，７２は、それぞれ、他の傘１の継ぎ部材７２，７１が対応し、接合手段８１によって、それぞれ、接合される。
【００２４】
接合手段８１としては、例えば、面ファスナー、丸留め、粘着テープ、ホック等がある。雌雄がある場合には、継ぎ部材７１，７２のいずれかに雌雄のいずれかを使い、他方には反対側のものを使用する。
【００２５】
例えば、傘１は、継ぎ部材７１に接合手段８１として雄面ファスナーが形成されたときには、継ぎ部材７２に接合手段８１として雌面ファスナーが形成されている。
【００２６】
勿論、接合手段８１は、これに限定されるものではなく、いずれか一方を磁石とし、他方を砂鉄等の磁性体とすることも可能である。
【００２７】
（傘単独の使用について）
図１に示す使用時の傘１は開かれており、柄２を手で握るとき、合体面部２０の反対側から握って差すことができる。手首は一般の傘のように立てることはなく前方に幾分傾けた、より自然な握りができ、手首の疲れが少ない。差したときには、切欠部分６から前方視野を確保でき、安全に歩行できる。
【００２８】
傘１を閉じて携行するときには、合体面部２０側から握ることにより、柄付シャフト３は曲げられているため、先端が一般の傘より一層下向きになるため、自分に近くなり、人や物との干渉の恐れが少ない。
【００２９】
（傘同士を合体させての使用）
次に、同一の傘１を持った二人が、寄り添いたい意思をもったときに、二つの傘１を合体させることについて説明する。
【００３０】
まず、使用者は、図２に示すように、二本の傘１の柄２の合体面部２０同士を対向させて、雌部２１及び雄部２２を、それぞれ、雄部２２及び雌部２１と合わせて合体させる。
【００３１】
これにより、図３に示すように、傘１の根元である柄２は一本にまとまり、片手で握れるようになり、離れることはない。また、このとき、傘１の上部は、傘骨５１，５２，５８の先端５１Ｔ，５２Ｔ，５８Ｔが接触している。
【００３２】
この合体時においては、継ぎ部材７１，７２は接合手段８１でもって、相手の継ぎ部材７２，７１と合わさる。これにより、合体時に傘布４同士が離れないように支持されるので、雨漏れをより確実に防ぐことができる。したがって、柄２と傘布４の継ぎ部材７１，７２との部分でしっかりと固定されるので、強い風にも離れることなく使用できる。
【００３３】
このように、本実施例に係る傘１は、一般的な傘が備える部品、すなわち、柄２が一端部に取り付けられた柄付シャフト３と、傘布４と、傘骨５１〜５８とから主に構成されているので、一対の傘間に伸縮自在な大きな屋根部材を設けたような従来の傘と比べて部品点数が少なく製造および使用も容易となる。しかも、構造が簡単で、コンパクトで携帯が容易である。
【００３４】
また、継ぎ部材７１，７２には接合手段８１が設けられているので、柄２の合体とともに合体時に傘布４同士が離れないように支持される。また、傘布４同士の隙間から雨水が浸入することをより確実に防ぐことができる。
【００３５】
また、接合手段８１は、面ファスナーであるので、雄面ファスナーを雌面ファスナーに貼り付けたり、雌面ファスナーから剥がしたりすることが簡単に実現できる。
【００３６】
また、曲げられた柄付シャフト３は、傘１同士の合体時に、上方が開くＶ字状となり、二つの傘布４は二人それぞれを雨から守り、さらに寄り沿わすことができる。さらには、二つの傘布４間には空間ができるので、前方視野を確保でき、安全に歩行できる。
【００３７】
この発明は、上記実施形態に限られるものではなく、特許請求の範囲の各請求項に係る発明の要旨を逸脱しない限り、設計の変更や追加等は許容される。
【符号の説明】
【００３８】
１  傘
２  柄
３  柄付シャフト
４  傘布
６  切欠部分
２０  合体面部
２１  雌部
２２  雄部
５１、５２、５３、５４、５５、５６、５７、５８  傘骨
５１Ｔ、５２Ｔ、５８Ｔ  先端
７１、７２  継ぎ部材
８１  面ファスナー（接合手段）
Ｓ  軸
【図１】
2018187279.tif 000003
【図２】
2018187279.tif 000004
【図３】
2018187279.tif 000005